(57)【特許請求の範囲】
【請求項１】
光学的手段を用いて光ディスクに対して情報の再生および／または記録を行う光ディスクドライブ装置において、
前記光ディスクを回転させるスピンドルモータを保持する第１のシャーシと、情報の再生または記録を行うための光ピックアップを直線的に移動自在に支持するガイドシャフト、および前記ガイドシャフトの位置決めを行うシャフト位置決め手段を設置した第２のシャーシとを備え、さらに、前記第２のシャーシを回動自在に支持する回転中心軸手段を設置し、この回転中心軸手段を支点として前記第２のシャーシを傾斜させることにより前記光ディスクに対する前記光ピックアップの傾斜角度を調整可能にし、前記第２のシャーシに、この第２のシャーシが前記第１のシャーシから所定の距離離れると、前記第１のシャーシに係止される係止手段を設けた光ディスクドライブ装置であって、
前記回転中心軸手段を前記第２のシャーシの前記光ピックアップ移動方向略中心部分に設け、前記係止手段を前記回転中心軸手段の周囲に設けたことを特徴とする光ディスクドライブ装置。
【請求項２】
前記第２のシャーシに、前記第１のシャーシに当接するストッパ手段を設けたことを特徴とする請求項１記載の光ディスクドライブ装置。
【請求項３】
光学的手段を用いて光ディスクに対して情報の再生および／または記録を行う光ディスクドライブ装置において、
前記光ディスクを回転させるスピンドルモータを保持する第１のシャーシと、情報の再生または記録を行うための光ピックアップを直線的に移動自在に支持するガイドシャフト、および前記ガイドシャフトの位置決めを行うシャフト位置決め手段を設置した第２のシャーシとを備え、さらに、前記第２のシャーシを回動自在に支持する回転中心軸手段を設置し、この回転中心軸手段を支点として前記第２のシャーシを傾斜させることにより前記光ディスクに対する前記光ピックアップの傾斜角度を調整可能にし、前記第１のシャーシに、前記第２のシャーシが前記第１のシャーシから所定の距離離れると、前記第２のシャーシに係止される係止手段を設けた光ディスクドライブ装置であって、
前記回転中心軸手段を前記第２のシャーシの前記光ピックアップ移動方向略中心部分に設け、前記係止手段を前記回転中心軸手段の周囲に設けたことを特徴とする光ディスクドライブ装置。
【請求項４】
前記第１のシャーシに、前記第２のシャーシに当接するストッパ手段を設けたことを特徴とする請求項３記載の光ディスクドライブ装置。
【請求項５】
前記係止手段が、前記第１のシャーシと前記第２のシャーシとの少なくともいずれか一方に設けられたフック部とフック受け部であることを特徴とする請求項１または３記載の光ディスクドライブ装置。
【請求項６】
前記フック部と前記フック受け部との前記シャーシ面方向における係合間隔を、前記回転中心軸手段の支持部におけるがたつき以下にしたことを特徴とする請求項５記載の光ディスクドライブ装置。
【請求項７】
前記フック部と前記フック受け部との少なくともいずれか一方に可撓性を具備させ、一方のシャーシに対して他方のシャーシを面同士を接近させながら、かつ前記フック部と前記フック受け部を撓めながら組み付けることを可能にしたことを特徴とする請求項５または６記載の光ディスクドライブ装置。
【請求項８】
前記フック部の断面形状を、撓み方向の寸法が撓み方向に対して垂直方向の寸法より小になるように設定したことを特徴とする請求項７記載の光ディスクドライブ装置。
【請求項９】
前記係止手段が、前記第１のシャーシと前記第２のシャーシとの組み付け後に設置されるフック部とフック受け部であることを特徴とする請求項１または３記載の光ディスクドライブ装置。
【請求項１０】
前記第２のシャーシに、前記光ピックアップを駆動する駆動部を搭載する搭載部分を設けたことを特徴とする請求項１〜９いずれか１項記載の光ディスクドライブ装置。
【請求項１１】
前記シャフト位置決め手段と前記回転中心軸手段とを、前記第２のシャーシに樹脂により成形したことを特徴とする請求項１または３記載の光ディスクドライブ装置。
【請求項１２】
前記係止手段あるいはフック部とフック受け部を、樹脂により成形したことを特徴とする請求項１，３，５〜９いずれか１項記載の光ディスクドライブ装置。
【請求項１３】
前記ストッパ手段を、樹脂により成形したことを特徴とする請求項２または４記載の光ディスクドライブ装置。
【請求項１４】
前記駆動源を構成するモータの搭載部分を、樹脂により成形したことを特徴とする請求項１０記載の光ディスクドライブ装置。
【請求項１５】
前記シャフト位置決め手段、あるいは前記回転中心軸手段、あるいは前記係止手段、あるいは前記フック部と前記フック受け部、あるいは前記ストッパ手段、あるいは前記モータ搭載部分を、前記第２のシャーシにアウトサート成形により一体的に設置したことを特徴とする請求項１〜１４いずれか１項記載の光ディスクドライブ装置。
【請求項１６】
前記回転中心軸手段は、一方のシャーシに設けられた軸受に当接する当接部分と、他方のシャーシの開口部分に埋設される接合部分とを備えたピボット体から構成されていることを特徴とする請求項１，３，６，１１または１５記載の光ディスクドライブ装置。
【請求項１７】
前記ピボット体において、前記当接部分と前記接合部分との間にフランジ部分を設けたことを特徴とする請求項１６記載の光ディスクドライブ装置。
【請求項１８】
前記開口部分における前記接合部分側に、面取り部あるいはエッジ部を潰した部分を設けたことを特徴とする請求項１６記載の光ディスクドライブ装置。
【請求項１９】
前記回転中心軸手段の前記接合部分を複数個設けたことを特徴とする請求項１６，１７または１８記載の光ディスクドライブ装置。
【発明の詳細な説明】
【０００１】
【発明の属する技術分野】
本発明は、光ピックアップを用いてＣＤ−ＲＯＭ，ＣＤ−Ｒ，ＣＤ−ＲＷ，ＤＶＤなどの光ディスクに対して記録および／または再生を行う光ディスドライブ装置に関する。
【０００２】
【従来の技術】
ＣＤよりも高記録密度であるＤＶＤでは、記録密度を上げるために、対物レンズの開口率を上げて光スポットを絞るようにしている（光スポットの直径は開口率に反比例する）。しかし開口率を上げると、ディスクに対する対物レンズの光軸傾きにより発生するコマ収差が大きくなる。このため、ディスクに対して対物レンズの傾斜角度を一定に保つためのチルト補正を行うことが必要となり、各種提案がなされている。
【０００３】
例えば特開２０００−３３１３６３号公報では、光ピックアップを光ディスクの直径方向に移動案内するためのガイドシャフトにおける端部を保持する部材を可動にし、光ピックアップの傾斜角度を変化可能にすることにより、光ディスクに対して光ピックアップの対物レンズの傾斜角度を一定に保つような構成にしている。このようにガイドシャフトの端部を上下動させてチルト補正する構成であると、チルト補正の回転中心はガイドシャフトの他方の先端となる。このため、チルト補正の回転半径は略シャフトの長さＬに等しく、任意の角度θに調整するには、ガイドシャフトの端部をｘ（＝Ｌ／ｔａｎθ）だけ移動させる必要がある。
【０００４】
【発明が解決しようとする課題】
前記のようにＤＶＤなどの近年の高密度な光情報記録媒体では、光源の短波長化と対物レンズの高開口率化が必要である。対物レンズの高開口率化は、対物レンズの傾斜により発生するコマ収差が大きいため、光ディスクの基板に対して対物レンズの光軸が垂直になるようにする必要がある。このために、光ピックアップを傾斜調整させるチルト補正機構が必要となる。
【０００５】
従来の特開２０００−３３１３６３号公報に記載されたチルト補正機構では、既述したようにガイドシャフトの端部のみを移動駆動させているため、移動ストロークｘを小さくすることはできない。また、外乱衝撃／外乱振動が発生した際に、ガイドシャフトの両端部分における支持が異なり、一方は非チルト調整部分であり、他方が固定端であって、両端に加わる衝撃が異なるためガイドシャフトが曲がってしまうおそれがある。また、前記移動ストロークｘは、装置の設計レイアウト上、小さいことが望ましい。
【０００６】
本発明の目的は、前記従来の課題を解決し、チルト補正用にガイドシャフトの移動ストロークを減少させることができ、チルト補正機構の耐久性，信頼性などを向上させることができる光ディスクドライブ装置を提供することにある。
【０００７】
【課題を解決するための手段】
前記目的を達成するため、請求項１に記載の発明は、光学的手段を用いて光ディスクに対して情報の再生および／または記録を行う光ディスクドライブ装置において、前記光ディスクを回転させるスピンドルモータを保持する第１のシャーシと、情報の再生または記録を行うための光ピックアップを直線的に移動自在に支持するガイドシャフト、および前記ガイドシャフトの位置決めを行うシャフト位置決め手段を設置した第２のシャーシとを備え、さらに、前記第２のシャーシを回動自在に支持する回転中心軸手段を設置し、この回転中心軸手段を支点として前記第２のシャーシを傾斜させることにより前記光ディスクに対する前記光ピックアップの傾斜角度を調整可能にし、前記第２のシャーシに、この第２のシャーシが前記第１のシャーシから所定の距離離れると、前記第１のシャーシに係止される係止手段を設けた光ディスクドライブ装置であって、前記回転中心軸手段を前記第２のシャーシの前記光ピックアップ移動方向略中心部分に設け、前記係止手段を前記回転中心軸手段の周囲に設けたことを特徴とし、この構成によって、第１のシャーシに対して傾斜可能に設けられた第２のシャーシに、ガイドシャフトのシャフト位置決め手段と第２のシャーシの回転中心軸手段とを設けたため、チルト補正用にガイドシャフトを移動させる距離を低減させること、および装置の薄型化が可能になる。すなわち、チルト補正のための回転中心を、従来のように固定的に設定する必要がなくなり、任意に設定することが可能になるため、例えばガイドシャフトの長さ方向の中心部分にチルト補正用の回転中心を設定することにより、チルト補正のために持ち上げる距離を小さくすることができ、装置の薄型化が可能になる。またガイドシャフトは、シャフト位置決め手段により、その両端部分が支持されるため外乱衝撃／振動が加えられても、両端部分は同一部材で保持されているため、外乱衝撃／振動によってガイドシャフトが曲がるようなことはない。よって、装置の安全性が向上する。さらに、装置に外乱衝撃／振動が加えられたときに動いてしまっても、係止手段によりあらかじ設定された移動量以上はシャーシを移動させないようにすることができる。
【０００９】
請求項２に記載の発明は、請求項１記載の光ディスクドライブ装置において、第２のシャーシに、第１のシャーシに当接するストッパ手段を設けたことを特徴とし、この構成によって、チルト補正に異常が生じても、ストッパ手段によって過剰な移動を防ぐことができ、また過剰な移動による変形などを未然に防止することができる。
【００１０】
請求項３に記載の発明は、光学的手段を用いて光ディスクに対して情報の再生および／または記録を行う光ディスクドライブ装置において、前記光ディスクを回転させるスピンドルモータを保持する第１のシャーシと、情報の再生または記録を行うための光ピックアップを直線的に移動自在に支持するガイドシャフト、および前記ガイドシャフトの位置決めを行うシャフト位置決め手段を設置した第２のシャーシとを備え、さらに、前記第２のシャーシを回動自在に支持する回転中心軸手段を設置し、この回転中心軸手段を支点として前記第２のシャーシを傾斜させることにより前記光ディスクに対する前記光ピックアップの傾斜角度を調整可能にし、前記第１のシャーシに、この第１のシャーシが前記第２のシャーシから所定の距離離れると、前記第２のシャーシに係止される係止手段を設けた光ディスクドライブ装置であって、前記回転中心軸手段を前記第２のシャーシの前記光ピックアップ移動方向略中心部分に設け、前記係止手段を前記回転中心軸手段の周囲に設けたことを特徴とし、この構成によって、第１のシャーシに対して傾斜可能に設けられた第２のシャーシに、ガイドシャフトのシャフト位置決め手段と第２のシャーシの回転中心軸手段とを設けたため、チルト補正用にガイドシャフトを移動させる距離を低減させること、および装置の薄型化が可能になる。すなわち、チルト補正のための回転中心を、従来のように固定的に設定する必要がなくなり、任意に設定することが可能になるため、例えばガイドシャフトの長さ方向の中心部分にチルト補正用の回転中心を設定することにより、チルト補正のために持ち上げる距離を小さくすることができ、装置の薄型化が可能になる。またガイドシャフトは、シャフト位置決め手段により、その両端部分が支持されるため外乱衝撃／振動が加えられても、両端部分は同一部材で保持されているため、外乱衝撃／振動によってガイドシャフトが曲がるようなことはない。よって、装置の安全性が向上する。さらに、装置に外乱衝撃／振動が加えられたときに動いてしまっても、係止手段によりあらかじ設定された移動量以上はシャーシを移動させないようにすることができる。
【００１１】
請求項４に記載の発明は、請求項３記載の光ディスクドライブ装置において、第１のシャーシに、第２のシャーシに当接するストッパ手段を設けたことを特徴とし、この構成によって、チルト補正に異常が生じても、ストッパ手段によって過剰な移動を防ぐことができ、また過剰な移動による変形などを未然に防止することができる。
【００１２】
請求項５に記載の発明は、請求項１または３記載の光ディスクドライブ装置において、係止手段が、第１のシャーシと第２のシャーシとの少なくともいずれか一方に設けられたフック部とフック受け部であることを特徴とし、この構成によって、外力が負荷されたときに、フック部とフック受け部とが外力を吸収するため、第１のシャーシと第２のシャーシが分解してしまうことを未然に防止することができる。
【００１３】
請求項６に記載の発明は、請求項５記載の光ディスクドライブ装置において、フック部とフック受け部とのシャーシ面方向における係合間隔を、回転中心軸手段の支持部におけるがたつき以下にしたことを特徴とし、この構成によって、シャーシ面方向の外力が負荷されたときに、第１のシャーシと第２のシャーシが分解してしまうことを未然に防止することができる。
【００１４】
請求項７に記載の発明は、請求項５または６記載の光ディスクドライブ装置において、フック部とフック受け部との少なくともいずれか一方に可撓性を具備させ、一方のシャーシに対して他方のシャーシを面同士を接近させながら、かつフック部とフック受け部を撓めながら組み付けることを可能にしたことを特徴とし、この構成によって，第１のシャーシと第２のシャーシの組み付けを行う際、フック部とフック受け部に可撓性があるため、互いにシャーシ面に対して略垂直方向から嵌め込むようにすることが可能になり、組立が簡単になる。
【００１５】
請求項８に記載の発明は、請求項７記載の光ディスクドライブ装置において、フック部の断面形状を、撓み方向の寸法が撓み方向に対して垂直方向の寸法より小になるように設定したことを特徴とし、この構成によって、外力に耐え得る強度を持ちつつ、撓みやすい断面形状になるため、組立性が向上する。
【００１６】
請求項９に記載の発明は、請求項１または３記載の光ディスクドライブ装置において、係止手段が、第１のシャーシと第２のシャーシとの組み付け後に設置されるフック部とフック受け部であることを特徴とし、この構成によって、フック部あるいはフック受け部を、第１のシャーシと第２のシャーシとに独立して両シャーシの組立後に設置するため、フック部あるいはフック受け部に剛性を持たせることが可能となる。
【００１７】
請求項１０に記載の発明は、請求項１〜９いずれか１項記載の光ディスクドライブ装置において、第２のシャーシに、光ピックアップを駆動する駆動部を搭載する搭載部分を設けたことを特徴とし、この構成によって、駆動部の光ピックアップに対する位置精度を確保することができるため、安定した光ピックアップの送りを実現できる。
【００１８】
請求項１１に記載の発明は、請求項１または３記載の光ディスクドライブ装置において、シャフト位置決め手段と回転中心軸手段とを、第２のシャーシに樹脂により成形したことを特徴とし、この構成によって、請求項１に記載の発明の効果と共に、樹脂によるダンピング効果を得ることができ、耐振動特性に優れたものになる。
【００１９】
請求項１２に記載の発明は、請求項１，３，５〜９いずれか１項記載の光ディスクドライブ装置において、係止手段あるいはフック部とフック受け部を、樹脂により成形したことを特徴とし、この構成によって、外乱衝撃／振動が加わった際に、係止手段あるいはフック部とフック受け部に第２のシャーシが当接する際の衝撃エネルギを吸収することができる。
【００２０】
請求項１３に記載の発明は、請求項２または４記載の光ディスクドライブ装置において、ストッパ手段を、樹脂により成形したことを特徴とし、この構成によって、ストッパ手段に第２のシャーシが当接した際の衝撃エネルギを吸収することができる。
【００２１】
請求項１４に記載の発明は、請求項１０記載の光ディスクドライブ装置において、駆動源を構成するモータの搭載部分を、樹脂により成形したことを特徴とし、この構成によって、モータ駆動時の振動を吸収することができる。
【００２２】
請求項１５に記載の発明は、請求項１〜１４いずれか１項記載の光ディスクドライブ装置において、シャフト位置決め手段、あるいは回転中心軸手段、あるいは係止手段、あるいはフック部とフック受け部、あるいはストッパ手段、あるいはモータ搭載部分を、第２のシャーシにアウトサート成形により一体的に設置したことを特徴とし、この構成によって、第２のシャーシに対する各部の位置精度を向上する。
【００２３】
請求項１６に記載の発明は、請求項１，３，６，１１または１５記載の光ディスクドライブ装置において、回転中心軸手段は、一方のシャーシに設けられた軸受に当接する当接部分と、他方のシャーシの開口部分に埋設される接合部分とを備えたピボット体から構成されていることを特徴とし、この構成によって、簡単な構成で機械強度に優れた回転中心軸手段が実現する。
【００２４】
請求項１７に記載の発明は、請求項１６記載の光ディスクドライブ装置において、ピボット体において、当接部分と接合部分との間にフランジ部分を設けたことを特徴とし、この構成によって、ピボット体を強固に固定することができる。
【００２５】
請求項１８に記載の発明は、請求項１６記載の光ディスクドライブ装置において、開口部分における接合部分側に、面取り部あるいはエッジ部を潰した部分を設けたことを特徴とし、この構成によって、ピボット体の接合面積を広くすることができ、機械的剛性を増すことができる。
【００２６】
請求項１９に記載の発明は、請求項１６，１７または１８記載の光ディスクドライブ装置において、回転中心軸手段の接合部分を複数個設けたことを特徴とし、この構成によって、ピボット体の固定が安定して強固に行われることになる。
【００２７】
【発明の実施の形態】
以下、本発明の好適な実施形態について図面を参照しながら説明する。
【００２８】
図１は本発明の実施形態を説明するための光ディスクドライブ装置における内部の概略を示す斜視図であり、ドライブベース（図には外形を２点鎖線に示す）１に、上部に光ディスクの載置部である凹所２が形成され、かつ光ディスクを載置／搬出するローディングトレー３が移動自在に配設され、さらにドライブベース１の前面側に、光ディスクを外部から挿入するディスク挿入口４を具備するフロントパネル５が設置されている。
【００２９】
図１は光ディスクが挿入されていない状態を示しており、挿入された光ディスクは、スピンドルモータ６の上部に設置されたターンテーブル６ａに搭載されて回転駆動される。ローディングトレー３の下側に配設された光ピックアップ７は、回転している光ディスクに光束を照射して、光スポットを光ディスク上に形成して、光ディスクに対して情報の再生／消去／記録を行うものである。光ピックアップ７において、ＣＤに比べてＤＶＤに対応して記録密度を大きくするために、光ピックアップ７に設けた対物レンズ８のＮＡ（開口率）を大きくして、小径の光スポットを光ディスク上に形成するようにしている。しかし、ＮＡを大きくすると光スポットを小さく絞ることができるが、光ディスクと対物レンズの光軸との傾きにより発生するコマ収差が大きくなるという問題が生じる。このため光ディスクに対する対物レンズ８の光軸を一定角度に保つ（直角に保つ）ための、チルト補正機構が必要となる。
【００３０】
図２は本実施形態の光ディスクドライブ装置における要部の斜視図であり、光ピックアップ７は、互いに平行な一対のガイドシャフト９に直線移動可能に支持されている。ガイドシャフト９は、各端部が回動シャーシ１０に支持されている。またスピンドルモータ６は、ドライブベース１に対して固定された固定シャーシ１１に支持されている。さらに、回動シャーシ１０は固定シャーシ１１に対してチルト移動自在に支持されている。
【００３１】
チルト移動の中心軸は、回動シャーシ１０をチルト移動可能に支持するチルト支持機構１２，１３における支持部を結ぶ線であり、かつ光ディスクの接線と平行な線であって、固定シャーシ１１に対して回動シャーシ１０をチルト移動させると、ターンテーブル６ａに搭載された光ディスクに対して、光ピックアップ７がチルト移動することになり、光ディスクの接線を回転中心軸としたラジアルチルトの補正を行うことができる。
【００３２】
固定シャーシ１１における４隅部は、それぞれ防振ゴム１４を介してドライブベース１に弾性支持されている。回動シャーシ１０は、相対向するチルト支持機構１２，１３における支持部を結ぶ軸線を回転中心とし、チルトセンサ１５からの出力信号に基づいてチルト駆動部１６により回動シャーシ１０の端部をその板厚と直交する方向に対して移動されることにより、傾斜するようになっている。さらに回動シャーシ１０は、３つのばね１７，１８，１９により、固定シャーシ９側に押圧されることにより保持されている。各ばね１７，１８，１９は、チルト支持機構１２，１３の近傍、およびチルト駆動部１６の近傍にそれぞれ設置されている。
【００３３】
図３は本実施形態における回動シャーシ１０を示す斜視図であり、回動シャーシ１０には、両ガイドシャフト９を位置決め、かつ支持する支持部材２０，２１，２２，２３と、前記チルト移動の中心軸（チルト動作軸）上に設置されたピポット２４，２５とを有する。
【００３４】
図４は回動シャーシ１０を図３と異なる底面側から見た斜視図であり、一方のガイドシャフト９は支持部材２０，２１によって位置決め保持されている。回動シャーシ１０に設けられた支持部材２０は、図５に示す拡大斜視図のように、シャフト位置決め用突起３０，３１，３２を有し、シャフト位置決め用突起３０，３１，３２のそれぞれがガイドシャフト９の一側面，他方の側面，端面に当接して位置決めを行っている。また固定用突起３３は、ガイドシャフト９の側面（図における上面）を押圧することにより、回動シャーシ１０の底面部分３４とでガイドシャフト９を挟持している。さらに固定用突起３３は、ガイドシャフト９の取付け時には長辺部分３５が撓み、ガイドシャフト９の端部が位置決め用突起３０．３１，３２部分に挿入されたときに撓みが元に戻ってガイドシャフト９を押圧することになる。
【００３５】
図５において、３６，３７は板金固定部であり、回動シャーシ１０の基材である板金に設けた通孔に充填された樹脂であって、回動シャーシ１０にシャフト位置決め用突起３０を固定する機能を有する。板金固定部３６，３７を、このように略対角上に一対設置することにより、樹脂からなるシャフト位置きめ用突起３０の成形加工時におけるヒケの発生を防止することができる。
【００３６】
図４において、他方のガイドシャフト９を支持する支持部材２２，２３を構成するシャフト位置決め用突起２２ａ，２３ｂにガイドシャフト９をネジ４０を用いて取り外し可能に固定している。このことにより、光ピックアップ５を修理のために取り外すときなどに、ネジ４０を外してガイドシャフト９の一方を取り外すことが可能となる。
【００３７】
さらに、回動シャーシ１０の底面側には円球状の形状ピボット２４，２５が設けられ、回動シャーシ１０の両側にはフック４１，４２，４３が設けられている。図６は回動シャーシとストッパとの設置状態を示す斜視図、図７は回動シャーシと固定シャーシとストッパとの設置状態を示す斜視図であり、回動シャーシ１０の一側に設けられたフック４２，４３は、それぞれ固定シャーシ１１に設けられたフック受け部４４，４５に対応して設置されて係止手段を構成しており、外部からの衝撃、振動などにより回動シャーシ１０が、その板厚方向に移動した際に、フック４２，４３がフック受け部４４，４５に係止されることによって止まるようになっている。また回動シャーシ１０の他側に設けられたフック４１においても同様な機構の係止手段を構成している。これらの係止手段がないと、回動シャーシが移動しつづけて、図２と図８の拡大図に示す板ばね１７，１８を弾性限界領域以上に撓ませて変形させてしまうことになる。
【００３８】
回動シャーシ１０における図２に示す矢印４７の部分は、回動シャーシ１０がチルト動作するストロークの延長上に設けたストッパ手段であって、ストロークの延長上において固定シャーシ１１に設けられた突起４８に当接するようになっている。
【００３９】
なお、前記実施形態では、回動シャーシ１０にフック４１〜４３を設け、固定シャーシ１１にフック受け部４４，４５および突起４８を設けたが、これらの関係は逆であってもよい。つまり、フック４１〜４３が固定シャーシ１１に設けられ、フック受け部４４，４５と突起４８を回動シャーシ１０に設けても同様の効果が得られる。
【００４０】
回動シャーシ１０の特定領域部分の平面度は特に精度よく加工されている。つまり、図４において、光ピックアップ７を移動させる駆動部が搭載されるブラケット５０を搭載する部分の平面度を０．１以下にしている。ブラケット５０は、端部を折り曲げて略凹形状になっており、端部に軸受５１，ステッピングモータ５２が取り付けられている、ステッピングモータ５２からは光ピックアップ７の噛合部７ａと一部が噛合するリードスクリュー５３が延出しており、リードスクリュー５３の端部を軸受５１で支持している。軸受５１の位置がリードスクリュー５３の軸線と直交方向にずれていると、リードスクリュー５３が湾曲してしまうため、光ピックアップ７を送る性能に悪影響を及ぼしてしまう。
【００４１】
前記実施形態の構成において、支持部材２０〜２３と、ピボット２４，２５と、フック４１〜４３と、フック受け部４４，４５と、ストッパ手段４７および突起４８と、ブラケット５０の搭載部分は、金属で形成してもよいが、合成樹脂で形成することによって、さらに振動吸収および減衰上の効果が得られる。
【００４２】
また、回動シャーシ１０の一部はアウトサート成形によって形成される。例えば図３で説明した板金固定部３６，３７はアウトサート成形で形成されている。
【００４３】
図９は前記ピボット２４，２５（図では一方のピボット２４のみを示す）部分を示す構成図であり、ピボット２４は回動シャーシ１０に設けられ、半球面部分５５，延長部分５６，フランジ部分５７，接合部分５８，先端部分５９とからなる。半球面部分５５は、固定シャーシ１１に設けられた軸受に当接してチルト動作の回転支点を形成する。先端部分５９は、図８に示すように、板ばね１７により固定シャーシ１１側に押圧される突起である。接合部分５８は、回動シャーシ１０の板金に設けられた通孔１０ａに埋設される部分であり、これにより、ピボット２４は回動シャーシ１０の板金に固定される。
【００４４】
接合部分５８および回動シャーシ１０の板金に設けた通孔１０ａの直径は大きいほど接合強度を強くできるが、外形形状のレイアウト上の制限からあまり大きくできない（すなわちドライブ装置全体の大きさの配分から大きさの制限がある）。そこでフランジ部分５７により強度補強をしている。つまり接合部分５８の直径は細いため、外部からの衝撃を受けた際に、接合部分５８に集中荷重が発して折れてしまうようなことを、フランジ部分５７と回動シャーシ１１の板金とで衝撃荷重を分けて受けるようになるため、接合部分５８に加わる荷重を小さくすることができる。
【００４５】
図９における６０は、回動シャーシ１１の通孔１０ａの円周部に設けられた面取り、あるいはエッジ潰しを行っている部分に接合部分５８の樹脂が入り込んだ部分である。このように面取りあるいはエッジ潰しを行うことにより、接合部分５８の長さを回動シャーシ１１の板厚より小さくでき、かつ接触面積を大きくできるために、この部位の強度を上げることができる。
【００４６】
図１０は前記ピボットの他の例を示す斜視図であり、この例ではフランジ部分５７に接合部分６１を３つ設けることによって、固定強度を上げているようにしている。
【００４７】
図１１はフックとフック受け部の他の例を示す一部断面図であり、回動シャーシ１０と固定シャーシ１が組み付けられた状態を示しており、回動シャーシ１０の両側にはフック７０が垂下しており、固定シャーシ１１の両側にはフック７０に対応させてフック７０を係止する係合孔７１ａが設けられたフック受け部７１が設置されている。この状態において、図１１におけるＹ方向に衝撃などの外力が負荷された場合、フック７０とフック受け部７１の係合により外力を吸収し、回動シャーシ１０と固定シャーシ１１との分離を防止することができる。
【００４８】
さらに、フック７０とフック受け部７１のシャーシ側面方向の間隔Ｌを、前記ピボット２４，２５と、これらのピボット２４，２５を受ける軸受部分とのガタ分よりも小さくすることにより、Ｘ方向および紙面に垂直な方向に外力が加わった場合、フック７０とフック受け部７１の側面が衝突することになって外力を吸収することができ、このため回動シャーシ１０と固定シャーシ１１との分離を防ぐことができる。
【００４９】
フック７０に弾性を持たせることにより、図１２に示すように、回動シャーシ１０を固定シャーシ１１に対してＹ１方向に押込むとフック７０に撓みが生じ、この状態で回動シャーシ１０と固定シャーシ１１との組立が容易に行えるようにしている。なお、本例ではフック７０に弾性を持たせているが、フック受け部７１に弾性を持たせたり、あるいはフック７０およびフック受け部７１の双方に弾性を持たせるようにしてもよい。
【００５０】
また、図１３（ａ），（ｂ）に示すフック７０の説明図のように、前記組立時における回動シャーシ１０の押し込みにより、フック７０はＸ１方向に撓むため、フック７０の断面形状を、予想される外力に耐え得る強度を有する断面積とし、かつ撓みが生じやすいように、撓み方向（Ｘ１方向）の寸法Ｌ１を、撓み方向に対して垂直方向の寸法Ｌ２に対して小にしている。このことにより、適度の強度が得られる共に良好な組立性とが得られることになる。
【００５１】
また、フック７０とフック受け部７１との少なくともいずれか一方を、両シャーシ１０，１１とは別部品にし、ピボット２４，２５を所定の位置に合致させて設置した後に、フック７０を回動シャーシ１０に設けたり、フック受け部７１を固定シャーシ１１に設けるようにすることによって、フック７０あるいはフック受け部７１が、組立時の押し込みに必要な撓みが得られないほどの剛性を持つものであっても、回動シャーシ１０と固定シャーシ１１との組立を可能にすることになり、このことにより、フック７０あるいはフック受け部７１の強度を上げることができる。
【００５２】
【発明の効果】
以上説明したように、本発明に係る光ディスクドライブ装置によれば、第１のシャーシに対して傾斜可能に設けられた第２のシャーシに、ガイドシャフトのシャフト位置決め手段と第２のシャーシの回転中心軸手段とを設けたため、チルト補正用にガイドシャフトを移動させる距離を低減させること、および装置の薄型化が可能になる。すなわち、チルト補正のための回転中心を、従来のように固定的に設定する必要がなくなり、任意に設定することが可能になるため、例えばガイドシャフトの長さ方向の中心部分にチルト補正用の回転中心を設定すれば、チルト補正のために持ち上げる距離を小さくすることができ、装置の薄型化が可能になる。またガイドシャフトは、シャフト位置決め手段により、その両端部分が支持されるため外乱衝撃／振動が加えられても、両端部分は同一部材で保持されているため、外乱衝撃／振動によってガイドシャフトが曲がるようなことはない。よって、装置の安全性が向上する。さらに、装置に外乱衝撃／振動が加えられたときに動いてしまっても、係止手段によりあらかじ設定された移動量以上はシャーシを移動させないようにすることができるなど実際的な効果が得られる。
【図面の簡単な説明】
【図１】本発明の実施形態を説明するための光ディスクドライブ装置における内部の概略を示す斜視図
【図２】本実施形態の光ディスクドライブ装置における要部を示す斜視図
【図３】本実施形態における回動シャーシを示す斜視図
【図４】本実施形態における回動シャーシを図３と異なる底面側から見た斜視図
【図５】本実施形態における支持部材を示す拡大斜視図
【図６】本実施形態における回動シャーシとストッパとの設置状態を示す斜視図
【図７】本実施形態における回動シャーシと固定シャーシとストッパとの設置状態を示す斜視図
【図８】本実施形態における回動シャーシと固定シャーシとの組立状態の要部を拡大して示す斜視図
【図９】本実施形態におけるピボット部分を示す構成図
【図１０】本実施形態におけるピボットの他の例を示す斜視図
【図１１】本実施形態におけるフックとフック受け部の他の例を示す一部断面図
【図１２】図１１に示すフックとフック受け部における組み込時の状態を示す説明図
【図１３】本実施形態におけるフックの形状の説明図であり、（ａ）は（ｂ）におけるＡ−Ａ線断面図
【符号の説明】
１  ドライブベース
３  ローディングトレー
６  スピンドルモータ
６ａ  ターンテーブル
７  光ピックアップ
８  対物レンズ
９  ガイドシャフト
１０  回動シャーシ
１１  固定シャーシ
１２，１３  チルト支持機構
１５  チルトセンサ
１６  チルト駆動部
１７  ばね
２０〜２３  支持部材
２４，２５  ピボット
４１〜４３  フック
４４，４５  フック受け部
４７  ストッパ手段
４８  突起
５５  半球面部分
５７  フランジ部分
【図１】
0004117118.tif 000002
【図２】
0004117118.tif 000003
【図３】
0004117118.tif 000004
【図４】
0004117118.tif 000005
【図５】
0004117118.tif 000006
【図６】
0004117118.tif 000007
【図７】
0004117118.tif 000008
【図８】
0004117118.tif 000009
【図９】
0004117118.tif 000010
【図１０】
0004117118.tif 000011
【図１１】
0004117118.tif 000012
【図１２】
0004117118.tif 000013
【図１３】
0004117118.tif 000014